(57)【要約】【課題】  重心位置をより適正にすることができるゴルフクラブ及びクラブヘッドを提供する。【解決手段】  ゴルフクラブは、クラブヘッド２０が、フェース面を備えたフェース体４０と、このフェース体４０の背面側に嵌め込まれてソール３２の少なくとも一部を構成する、フェース体４０より比重の大きい重量体５０とから構成される。【選択図】      図３
2005253839.tif 000002
【特許請求の範囲】
【請求項１】
クラブシャフトの先端にクラブヘッドを備え、
このクラブヘッドが、フェース面を備えたフェース体と、このフェース体の背面側に嵌め込まれてソールの少なくとも一部を構成する、前記フェース体より比重の大きい重量体とから構成されていることを特徴とするゴルフクラブ。
【請求項２】
前記フェース体の背面側に、前記重量体がスライド可能な溝を設け、この溝に前記重量体をスライドさせて嵌め込むことを特徴とする請求項１に記載のゴルフクラブ。
【請求項３】
前記溝は、前記重量体が嵌め込まれた場合に、前記重量体が前記フェース体の背面方向には移動しない溝形状に形成されていることを特徴とする請求項２に記載のゴルフクラブ。
【請求項４】
前記溝は、前記フェース体の背面方向に行くに従って溝幅が狭くなる逆テーパの溝形状に形成されていることを特徴とする請求項３に記載のゴルフクラブ。
【請求項５】
フェース面を備えたフェース体と、このフェース体の背面側に嵌め込まれてソールの少なくとも一部を構成する、前記フェース体より比重の大きい重量体とから構成されていることを特徴とするゴルフクラブのクラブヘッド。
【発明の詳細な説明】
【技術分野】
【０００１】
本発明は、ゴルフクラブ及びクラブヘッドに関する。
【背景技術】
【０００２】
一般に、ゴルフクラブは、クラブヘッドとクラブシャフトからなり、通常、ウッド、アイアン及びパターの３種類に分類される。従来、ゴルフクラブのクラブヘッドは、本体の背面にキャビティと呼ばれる凹部を設け、その凹部を深くえぐるようなアンダーカット形状に形成するなどして余分な肉を削り、その余分な肉の重量を他の部分に再配分させることで重心位置を調整している（例えば特許文献１）。
【特許文献１】特開平７−８５８３号公報
【発明の開示】
【発明が解決しようとする課題】
【０００３】
しかしながら、余分な肉を削るだけでは低重心化に限界がある。また、クラブヘッドにはチタン等の溶接が困難な材料が使用されることが多いため、クラブヘッドのソール部分に比重の大きい金属体をかしめて低重心化を図ることも行われている。しかしながら、その金属体の大きさや固定位置が制限され、重心位置の調整幅が狭かった。このため、より好ましい重心位置に調整するのは実際上困難であった。
【０００４】
本発明は、上述した事情に鑑みてなされたものであり、重心位置をより適正にすることができるゴルフクラブ及びクラブヘッドを提供することを目的としている。
【課題を解決するための手段】
【０００５】
上述課題を解決するため、本発明は、ゴルフクラブにおいて、クラブシャフトの先端にクラブヘッドを備え、このクラブヘッドが、フェース面を備えたフェース体と、このフェース体の背面側に嵌め込まれてソールの少なくとも一部を構成する、前記フェース体より比重の大きい重量体とから構成されていることを特徴とする。この構成によれば、重心位置をより低くでき、また、重心深度を深くすることも可能となる。
【０００６】
上記構成において、前記フェース体の背面側に、前記重量体がスライド可能な溝を設け、この溝に前記重量体をスライドさせて嵌め込むようにしてもよい。この場合、前記溝は、前記重量体が嵌め込まれた場合に、前記重量体が前記フェース体の背面方向には移動しない溝形状に形成することにより、フェース体と重量体を強固に連結することが可能となる。上記溝は、前記フェース体の背面方向に行くに従って溝幅が狭くなる逆テーパの溝形状に形成してもよい。
【０００７】
また、前記重量体を前記フェース体のソール側に嵌め込まれた際に、フェース体の背面側に張り出す形状に形成することにより、重心位置をより低くでき、かつ、重心深度もより深くすることができる。
【０００８】
さらに、本発明は、クラブヘッドにおいて、フェース面を備えたフェース体と、このフェース体の背面側に嵌め込まれてソールの少なくとも一部を構成する、前記フェース体より比重の大きい重量体とから構成されていることを特徴とする。この構成によれば、重心位置をより低くでき、また、重心深度を深くすることも可能となる。
【発明の効果】
【０００９】
本発明のゴルフクラブは、クラブヘッドを、フェース面を備えたフェース体と、このフェース体の背面側に嵌め込まれてソールの少なくとも一部を構成する、フェース体より比重の大きい重量体とから構成したことにより、重心位置をより低くでき、また、重心深度を深くすることも可能となる。
【発明を実施するための最良の形態】
【００１０】
以下、図面を参照して本発明の実施形態を説明する。
図１は、本発明の実施形態に係るアイアンのゴルフクラブ１０を示す図である。このゴルフクラブ１０は、カーボンファイバー等で形成されたクラブシャフト１１と、このクラブシャフト１１の先端に設けられたクラブヘッド２０とを備えている。
【００１１】
クラブヘッド２０は、前面にフェース３１、下部にソール３２、先端側にトウ３３、根本側にヒール３４、及び、ヒール３４より略斜め上方に突出するホーゼル基部３５が形成され、このホーゼル基部３５にクラブシャフト１１が差し込まれてクラブシャフト１１と連結される。また、フェース３１には、スコアラインと称する複数の平行な細溝３６が形成される。
【００１２】
図２はクラブヘッド２０の背面図であり、図３はクラブヘッド２０の側面図である。また、図４及び図５はクラブヘッド２０の分解斜視図である。このクラブヘッド２０は、フェース面（フェース３１に相当）を備えたフェース体４０と、フェース体４０の背面側に設けられる重量体５０とから概略構成されている。
【００１３】
フェース体４０は、チタン、アルミやこれらを含む合金等の比較的軽量な金属材料を鍛造又は鋳造等の方法を用いて製造される。このフェース体４０は、図２及び図４に示すように、背面側が周縁部４１ａ、４１ｂを残して内側がくり抜かれた形状に形成され、これにより、フェース体４０の軽量化が図られている。
【００１４】
また、図４及び図５に示すように、このフェース体４０の背面側には、重量体５０が嵌め込まれる溝４２が形成される。より具体的には、この溝４２は、重量体５０がフェース面と略平行方向（図５中、紙面垂直方向）にスライド可能な溝であって、このフェース体４０の周縁部４１の、トウ３３側とヒール３４側にそれぞれ形成される。また、この溝４２は、図５に示すように、フェース体４０の背面方向（図５中α方向）に行くに従って溝幅Ｌが狭くなる逆テーパの溝形状に形成されている。
【００１５】
図６は、重量体５０を裏側から見た斜視図である。重量体５０は、フェース体４０より比重の大きい材料、例えば、鉄、ステンレス、タングステン、銅、或いは、これらを含む合金を鍛造又は鋳造等の方法を適宜用いて製造される。図４乃至図６に示すように、この重量体５０には、フェース体４０の溝４２に係合可能な係合部５１が一体的に形成される。これにより、この係合部５１をフェース体４０の溝４２に挿入し、スライドさせていくことで、重量体５０をフェース体４０の背面側（溝４２及び周縁部４１ｂ）に隙間無く密着させた状態で適正位置に配置することが可能となる。
【００１６】
この場合、上記したように、フェース体４０の溝４２が逆テーパ形状に形成されているため、重量体５０がフェース体４０の背面方向（図５中α方向）に移動することがなく、その方向には強固に連結されることとなる。但し、重量体５０は上記したスライド方向には移動してしまうため、この重量体５０と溝４２との間に接着材を注入する等の従来の簡便的な固定方法を適用して、このスライド方向への移動も規制される。図２及び図３に示すように、この重量体５０はフェース体４０の背面下方（ソール３２側）に配置され、これにより、クラブヘッド２０のソール３２の大部分を構成するようになされている。
【００１７】
このように、このクラブヘッド２０は、フェース体４０の背面側に、フェース体４０より比重の大きい重量体５０を嵌め込んでソール３２の少なくとも一部を構成するように配置しているので、重量体５０の大きさや固定位置が制限されないだけでなく、フェース体４０にチタン等の溶接困難な材料を使用しても重量体５０を強固に連結することができる。これにより、クラブヘッド２０の重量を従来のアイアンのクラブヘッドと同じ重量しても重量体５０の重量配分を大きくすることができ、より一層の低重心化を図ることが可能となる。特に、この重量体５０は、フェース体４０のソール側に嵌め込まれ、かつ、嵌め込まれた際にフェース体４０の背面側に張り出す形状に形成されているので、クラブヘッドの低重心化に貢献するようになっている。この結果、図７にこのクラブヘッド２０の重心Ａの位置を正面側から示すように、重心位置が打点部に近づいてボールを強く弾くことが可能となり、高齢者や女性でもボールが上がり易くなる。
【００１８】
また、このクラブヘッド２０は、重量体５０がフェース体４０の背面側に張り出して配置されるため、図３に側面から見た時の重心Ａの位置を示すように、重心深度（フェイス面から重心までの距離）を深くすることができる。これにより、スイートエリア（スイートスポットともいう。）が広くなり、ボールを強くかつ真っ直ぐに打ち易くなる。
【００１９】
以上説明したように、本実施形態に係るゴルフクラブ１０は、クラブヘッド２０を、フェース体４０と、このフェース体４０の背面側に嵌め込まれてソール３２の少なくとも一部を構成する、フェース体４０より比重の大きい重量体５０とから構成したことにより、従来の同型のゴルフクラブに比して重心位置をより低くでき、また、重心深度を深くすることも可能となる。
【００２０】
また、フェース体４０に逆テーパ形状の溝４２を設け、この溝４２に重量体５０をスライドさせて嵌め込むようにしたことにより、重量体５０とフェース体４０とが図５中α方向においては強固に連結され、ボールを強く弾くことが可能となる。
【００２１】
なお、上述した実施形態は、あくまで本発明の一態様に過ぎず、本発明の範囲内で任意に変形が可能である。例えば、上述した実施形態では、重量体５０を図５中紙面垂直方向にスライドさせてフェース体４０に嵌め込む場合について述べたが、フェース３１の背面方向（図３に示すα方向）を除いてそのスライド方向は任意でよく、例えば、重量体５０を上下方向にスライドさせてフェース体４０に嵌め込むようにしてもよい。
【００２２】
また、上述した実施形態では、フェース体４０の溝４２を逆テーパ形状に形成して、フェース体４０と重量体５０とを強固に連結する場合について述べたが、図８に例示するように、フェース体４０と重量体５０とがフェース３１の背面方向（図中α方向及びβ方向）には移動しない嵌め込み形状を広く適用することが可能である。
【００２３】
また、上述した実施形態では、フェース体４０に溝４２を設け、重量体５０に係合部５１を設ける場合について述べたが、図９に例示するように、フェース体４０に係合部５１を設け、重量体５０に溝４２を設けるようにしてもよい。
【００２４】
また、上述した実施形態では、アイアンのゴルフクラブ１０に本発明を適用する場合について述べたが、パターのゴルフクラブにも本発明を適用することができる。この発明を適用してゴルフクラブのセットを製造する場合、例えば、ロングアイアンからショートアイアンに向かって付与される、例えば、１番、２番、３番・・・９番、ＰＷ（ピッチングウェッジ）、ＳＷ（サンドウエッジ）の各ゴルフクラブの重量変化が、従来のゴルフクラブのセットの重量変化と同傾向となるように各ゴルフクラブの重量体５０の重量を調整することが好ましい。
【図面の簡単な説明】
【００２５】
【図１】本発明の実施形態に係るアイアンのゴルフクラブを示す図である。
【図２】ゴルフクラブのクラブヘッドの背面図である。
【図３】クラブヘッドの側面図である。
【図４】クラブヘッドの分解斜視図である。
【図５】クラブヘッドの分解斜視図である。
【図６】クラブヘッドの重量体を裏側から見た斜視図である。
【図７】クラブヘッドの重心位置を示す図である。
【図８】クラブヘッドの変形例を示す図である。
【図９】クラブヘッドの変形例を示す図である。
【符号の説明】
【００２６】
１０…ゴルフクラブ、１１…クラブシャフト、２０…クラブヘッド、４０…フェース体、５０…重量体、４２…溝、５１…係合部。
【図１】
2005253839.tif 000003
【図２】
2005253839.tif 000004
【図３】
2005253839.tif 000005
【図４】
2005253839.tif 000006
【図５】
2005253839.tif 000007
【図６】
2005253839.tif 000008
【図７】
2005253839.tif 000009
【図８】
2005253839.tif 000010
【図９】
2005253839.tif 000011